【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  アミノプラスト殻壁および該壁内に封入されたカプセル化された成分から形成されたマイクロカプセルであって、該壁が、以下の式を有するエステル部分を含み：
【化１】
2002521397.tif 000001
ここで、「コア」は、エステル化が可能な少なくとも２つの官能基を含む多官能性Ｃ１〜Ｃ２０脂肪族または脂環式アルコールから誘導され；（Ａ１−Ｘ）ｔ、（Ａ２−Ｘ）ｕ、．．．（Ａｎ−Ｘ）ｙはそれぞれ、１つ以上のランダムにオリゴマー化された、２−ヒドロキシ置換Ｃ２〜Ｃ６アルカン酸および／または２−チオールＣ２〜Ｃ６置換アルカン酸のエステルを構成し、ここで、Ｘは、酸素または硫黄であり；−ＣＨ２Ｎ＜は、アミノホルムアルデヒドプレポリマーの三価窒素フラグメントを表し；ｎは、該２−ヒドロキシＣ２〜Ｃ６置換アルカン酸および／または２−チオールＣ２〜Ｃ６置換アルカン酸の誘導体と反応し得る該コア上の官能基の数であり、ｔ、ｕ、．．．ｙは、１〜２０の独立の値であり、そして、２≦ｔ’＋ｕ’．．．＋ｙ’≦ｎである、マイクロカプセル。
【請求項２】  前記アルコールがエステル化が可能な少なくとも３つの官能基を有する、請求項１に記載のマイクロカプセル。
【請求項３】  請求項１に記載のマイクロカプセルであって、ここで、前記壁が以下の式を有するエステル部分を含み：
【化２】
2002521397.tif 000002
ここで、Ｒは−ＨまたはＣ１〜Ｃ４アルキル基（ランダムに交代し得る）であり；Ｘは酸素または硫黄（ランダムに交代し得る）であり；ａ≦２；そしてｂ、ｃ、ｄ、ｅは、０または１〜４の数字であり、ここで、ａ＋ｂ＋ｃ＋ｄ＋ｅ＝４であり；そしてｍ、ｎ、ｐ、およびｑは独立して１〜２０の値であるか、
あるいは
【化３】
2002521397.tif 000003
ここで、Ｒは−ＨまたはＣ１〜Ｃ４アルキル基（ランダムに交代し得る）であり；Ｘは酸素または硫黄（ランダムに交代し得る）であり；ａ、ａ’≦２であり；そしてｂ、ｂ’、ｃ、ｃ’、ｄおよびｄ’は、０または１〜３の数字であり、ここで、ａ＋ｂ＋ｃ＋ｄ＋ａ’＋ｂ’＋ｃ’＋ｄ’＝６であり；そしてｍ、ｍ’、ｎ、ｎ’、ｐ、およびｐ’は独立して１〜２０の値である、マイクロカプセル。
【請求項４】  請求項３に記載のマイクロカプセルであって、ここで、前記壁が以下の式を有するエステル部分を含み：
【化４】
2002521397.tif 000004
そしてａが０である、マイクロカプセル。
【請求項５】  Ｒが水素を含む、請求項４に記載のマイクロカプセル。
【請求項６】  請求項１に記載のマイクロカプセルであって、ここで、前記加水分解可能なエステル部分が、ペンタエリトリトール、ジペンタエリトリトール、トリメチロールプロパン、グリセロール、メルカプトエタノール、１，２，４−ブタントリオール、１，３，５−シクロヘキサントリオール、１，２，３−ヘプタントリオール、ソルビトール、または２，３−ジメルカプト−１−プロパノールと、２−ヒドロキシ置換Ｃ２〜Ｃ６アルカン酸または２−チオール置換Ｃ２〜Ｃ６アルカン酸との反応によって作製される架橋剤から誘導される、マイクロカプセル。
【請求項７】  請求項６に記載のマイクロカプセルであって、ここで、前記エステル部分が、ペンタエリトリトールまたはジペンタエリトリトールと前記アルカン酸との反応によって作製される架橋剤から誘導される、マイクロカプセル。
【請求項８】  請求項３に記載のマイクロカプセルであって、ここで、前記アルカン酸が、グリコール酸、メルカプト酢酸、乳酸、チオ乳酸、および乳酸の環状二量体から選択される、マイクロカプセル。
【請求項９】  請求項３に記載のマイクロカプセルであって、ここで、前記エステルを含む前記壁は、式（Ｖ）を有し、ペンタエリトリトールとグリコール酸およびメルカプト酢酸との、それぞれ１：２：２のモル比での反応によって調製される架橋剤から誘導される、マイクロカプセル。
【請求項１０】  請求項３に記載のマイクロカプセルであって、ここで、前記エステルを含む前記壁は、式（Ｖ）を有し、ペンタエリトリトールとメルカプト酢酸との、１：４のモル比での反応によって調製される架橋剤から誘導される、マイクロカプセル。
【請求項１１】  請求項３に記載のマイクロカプセルであって、ここで、前記エステルを含む前記壁は、式（Ｖ）を有し、ペンタエリトリトールとグリコール酸およびメルカプト酢酸との、それぞれ１：１：３のモル比での反応によって調製される架橋剤から誘導される、マイクロカプセル。
【請求項１２】  請求項３に記載のマイクロカプセルであって、ここで、前記エステルを含む前記壁は、式（ＶＩ）を有し、ジペンタエリトリトールとチオ乳酸との、１：６のモル比での反応によって調製される架橋剤から誘導される、マイクロカプセル。
【請求項１３】  請求項６に記載のマイクロカプセルであって、ここで、前記壁がアミノ樹脂プレポリマーのインサイチュ縮合を含むマイクロカプセル化プロセスによって作製され、ここで、該プレポリマーが前記架橋剤と反応させられる、マイクロカプセル。
【請求項１４】  請求項１３に記載のマイクロカプセルであって、ここで、前記アミノ樹脂プレポリマーが、尿素−ホルムアルデヒドまたはメラミン−ホルムアルデヒドプレポリマーである、マイクロカプセル。
【請求項１５】  請求項１４に記載のマイクロカプセルであって、ここで、前記プレポリマーがエーテル化された尿素−ホルムアルデヒドまたはメラミン−ホルムアルデヒドプレポリマーである、マイクロカプセル。
【請求項１６】  中性条件または弱い酸性条件下では安定である、請求項１に記載のマイクロカプセル。
【請求項１７】  前記カプセル化された物質が、１つ以上の農薬を含む、請求項１に記載のマイクロカプセル。
【請求項１８】  前記カプセル化された物質が、１つ以上の農業用または非農業用殺有害生物剤を含む、請求項１に記載のマイクロカプセル。
【請求項１９】  前記カプセル化された物質が、１つ以上の殺虫剤を含む、請求項１８に記載のマイクロカプセル。
【請求項２０】  前記カプセル化された物質が、１つ以上のピレスロイド殺虫剤を含む、請求項１９に記載のマイクロカプセル。
【請求項２１】  前記カプセル化された物質が、λ−シハロトリンを含む、請求項１９に記載のマイクロカプセル。
【請求項２２】  前記カプセル化された物質が、消化中毒剤として有効な、１つ以上の殺虫剤を含む、請求項１９に記載のマイクロカプセル。
【請求項２３】  前記カプセル化された物質が、１つ以上の有機リン殺虫剤を含む、請求項１９に記載のマイクロカプセル。
【請求項２４】  前記カプセル化された成分が、クロルピリホスを含む、請求項２３に記載のマイクロカプセル。
【請求項２５】  前記エステル部分が、前記殻壁の約５重量％〜約８０重量％を構成する、請求項１に記載のマイクロカプセル。
【請求項２６】  前記殻壁が、前記マイクロカプセルの約１重量％〜約７０重量％を構成する、請求項１に記載のマイクロカプセル。
【請求項２７】  前記殻壁が、前記マイクロカプセルの約５重量％〜約５０重量％を構成する、請求項１に記載のマイクロカプセル。
【請求項２８】  約１ミクロン〜約１００ミクロンの平均直径を有する、請求項１に記載のマイクロカプセル。
【請求項２９】  マイクロカプセルの水性懸濁液であって、ここで、該マイクロカプセルが請求項１に規定される通りである、水性懸濁液。
【請求項３０】  前記水相が、さらに相間移動触媒を含む、請求項２９に記載のマイクロカプセルの水性懸濁液。
【請求項３１】  殺有害生物剤が前記マイクロカプセル中に含まれ、前記水相に含まれる、請求項２９に記載のマイクロカプセルの水性懸濁液。
【請求項３２】  前記カプセル化された成分が殺有害生物剤を含み、前記水相が第２の殺有害生物剤を含む、請求項２９に記載のマイクロカプセルの水性懸濁液。
【請求項３３】  前記カプセル化された殺有害生物剤が、前記第２の殺有害生物剤と実質的に相溶しない、請求項３２に記載のマイクロカプセルの水性懸濁液。
【請求項３４】  請求項１に記載のマイクロカプセルおよび塩基性物質を含む、組成物。
【請求項３５】  請求項３４に記載の組成物であって、ここで、前記塩基性物質が、水酸化アルカリ金属、水酸化アルカリ土類金属、水酸化アンモニウム、水酸化第４級アンモニウム、およびアミンから選択される、組成物。
【請求項３６】  組み合わせパッケージであって、該組み合わせパッケージは、請求項１に記載のマイクロカプセルを含む第１コンパートメント、および塩基性物質を含む第２コンパートメントを含む、組み合わせパッケージ。
【請求項３７】  前記第１コンパートメントが、マイクロカプセルの水性懸濁液を含む、請求項３６に記載の組み合わせパッケージ。
【請求項３８】  請求項３６に記載の組み合わせパッケージであって、ここで、前記塩基性物質が水酸化アルカリ金属、水酸化アルカリ土類金属、水酸化アンモニウム、水酸化第４級アンモニウム、およびアミンから選択される、組み合わせパッケージ。
【請求項３９】  有害生物を制御する方法であって、該方法は、該有害生物に対して、有害生物の位置（ｌｏｃｕｓ）に対して、または該有害生物が存在し得る位置（ｌｏｃａｔｉｏｎ）に対して、請求項１に記載のマイクロカプセルを含む組成物を適用する工程を包含し、ここで、前記カプセル化された成分が殺有害生物剤を含み、該組成物が、殺有害生物的に有効量で適用される、方法。
【請求項４０】  前記有害生物が、所望でない植物、昆虫、ダニ（ａｃａｒｉｄ）、ダニ（ｍｉｔｅ）およびげっ歯類動物から選択される、請求項３９に記載の方法。
【請求項４１】  請求項３９に記載の方法であって、ここで、前記マイクロカプセルが塩基性環境に配置され、その結果、前記エステル部分の切断が生じ、前記カプセル壁の分解が生じる、方法。
【請求項４２】  請求項３９に記載の方法であって、ここで、前記組成物が懸濁液であり、該懸濁液がまた、水酸化アルカリ金属、水酸化アルカリ土類金属、第４級アンモニウム塩の水酸化物、およびアミンから選択される塩基性物質を含む、方法。
【請求項４３】  請求項３９に記載の方法であって、該方法は、昆虫が餌を食べる位置（ｌｏｃｕｓ）に、消化中毒剤である殺虫剤を含む請求項１に記載のマイクロカプセルを適用する工程を包含し、昆虫の腸のアルカリ性環境と接触する場合に、該マイクロカプセル壁の比較的素早い崩壊または分解を作り出すように前記エステル部分が選択される、方法。
【請求項４４】  請求項４３に記載の方法であって、ここで、前記加水分解可能なエステル部分が、約４時間以下で前記マイクロカプセル壁の崩壊または分解を作り出すように選択される、方法。
【請求項４５】  マイクロカプセルの製造のためのプロセスであって、該マイクロカプセルは、アミノプラスト殻壁から形成され、カプセル化された成分（単数または複数）を含み、該プロセスは、該殻壁に以下の式を有するエステル部分を組み込む工程を包含し：
【化５】
2002521397.tif 000005
ここで、「コア」は、エステル化が可能な少なくとも２つの官能基を含む多官能性Ｃ１〜Ｃ２０脂肪族または脂環式アルコールから誘導される構造を表し；Ａ１−Ｘ−、Ａ２−Ｘ−、．．．Ａｎ−Ｘ−はそれぞれ、１つ以上のランダムにオリゴマー化された、２−ヒドロキシ置換Ｃ２〜Ｃ６アルカン酸および／または２−チオール置換Ｃ２〜Ｃ６アルカン酸のエステルを構成し、ここで、ＸＨは、アミノ−ホルムアルデヒドプレポリマーと反応し得る末端アルコールまたはスルフヒドリルを表し；そしてｎは、２−ヒドロキシＣ２〜Ｃ６置換アルカン酸および／または２−チオールＣ２〜Ｃ６置換アルカン酸の誘導体と反応し得るコア上の官能基の数であり、ｔ、ｕ、．．．ｙは、１〜２０の独立の値であり、そして、２≦ｔ’＋ｕ’．．．＋ｙ’≦ｎであり、該プロセスは、以下の工程：
（ａ）カプセル化されるべき物質、エーテル化アミノ樹脂プレポリマー、および式（Ｉ）の架橋剤を含む有機溶液を調製する工程；
（ｂ）水および界面活性剤を含む連続相水溶液中に有機溶液のエマルジョンを調製する工程；ならびに
（ｃ）カプセル化された成分を封入するアミノプラスト殻壁を形成するための、該樹脂プレポリマーおよび架橋剤のインサイチュ縮合のために十分な条件下で、該エマルジョンを約２０℃〜約１００℃の温度まで加熱する工程；
を包含する、プロセス。
【請求項４６】  請求項４５に記載のマイクロカプセルの作製のためのプロセスであって、ここで、前記加水分解可能エステル部分が、ペンタエリトリトールに由来し、以下の式：
【化６】
2002521397.tif 000006
を有し、ここで、Ｒは−ＨまたはＣ１〜Ｃ４アルキル基（ランダムに交代し得る）であり；Ｘは酸素または硫黄（ランダムに交代し得る）であり；ａ≦２であり；そしてｂ、ｃ、ｄ、ｅは、０または１〜４の数字であり、ここで、ａ＋ｂ＋ｃ＋ｄ＋ｅ＝４であり；そしてｍ、ｎ、ｐ、およびｑは独立して１〜２０の値であるか、
あるいは
ジペンタエリトリトールが反応剤である場合、前記架橋剤が、以下の式
【化７】
2002521397.tif 000007
を有し、ここで、Ｒは−ＨまたはＣ１〜Ｃ４アルキル基（ランダムに交代し得る）であり；Ｘは酸素または硫黄（ランダムに交代し得る）であり；ａ、ａ’≦２であり；そしてｂ、ｂ’、ｃ、ｃ’、ｄおよびｄ’は、０または１〜３の数字であり、ここで、ａ＋ｂ＋ｃ＋ｄ＋ａ’＋ｂ’＋ｃ’＋ｄ’＝６であり；そしてｍ、ｍ’、ｎ、ｎ’、ｐ、およびｐ’は独立して１〜２０の値である、プロセス。
【請求項４７】  前記アミノプラスト殻壁が、エーテル化されたアミノ樹脂プレポリマーから形成される、請求項４５に記載のプロセス。
【請求項４８】  前記アミノ樹脂プレポリマーが尿素−ホルムアルデヒドまたはメラミン−ホルムアルデヒドプレポリマーである、請求項４６に記載のプロセス。
【請求項４９】  前記アミノ樹脂プレポリマーが尿素−ホルムアルデヒドプレポリマーである、請求項４６に記載のプロセス。
【請求項５０】  アミノプラスト殻壁を有するマイクロカプセルを製造するためのプロセスであって、該プロセスは、以下：
（ｉ）エーテル化されたアミノ樹脂プレポリマーと以下の式を有する架橋剤とを反応させる工程：
【化８】
2002521397.tif 000008
ここで、「コア」は、エステル化が可能な少なくとも２つの官能基を含む多官能性Ｃ１〜Ｃ２０脂肪族または脂環式アルコールから誘導された構造を表し；Ａ１−Ｘ−、Ａ２−Ｘ−、．．．Ａｎ−Ｘ−はそれぞれ、１つ以上のランダムにオリゴマー化された、２−ヒドロキシ置換Ｃ２〜Ｃ６アルカン酸または２−チオール置換Ｃ２〜Ｃ６アルカン酸および／または２−チオールＣ２〜Ｃ６アルカン酸のエステルを構成し、ここで、ＸＨは、アミノ−ホルムアルデヒドプレポリマーと反応し得る末端アルコールまたはスルフヒドリルを表し；ｔ、ｕ、．．．ｙは、１〜２０の独立の値であり、そして、２≦ｔ’＋ｕ’．．．＋ｙ’≦ｎであり、そしてｎは、２−ヒドロキシＣ２〜Ｃ６置換アルカン酸および／または２−チオールＣ２〜Ｃ６置換アルカン酸の誘導体と反応し得るコア上の官能基の数である、工程；
（ｉｉ）工程（ｉ）の生成物およびカプセル化された物質（単数または複数）を含む有機相を提供する工程；
（ｉｉｉ）水および界面活性化剤を含む連続相水溶液中で、有機相のエマルジョンを作製する工程であって、ここで、該エマルジョンが、該連続相水溶液中に分散した該有機相の分離した液滴を含み、これによって該分離した有機溶液の液滴と該周囲の連続相水溶液との間に界面が形成される、工程；および
（ｉｖ）該界面に隣接する該アミノ樹脂プレポリマーおよび該分離した液滴の有機相を、同時に該エマルジョンを約２０℃から約１００℃の間の温度に加熱し、該エマルジョンに酸性化剤を添加することによって、インサイチュで縮合、そして硬化させ、該アミノ樹脂プレポリマーのインサイチュの縮合を実質的に完了させて該有機相の液体の液滴をカプセル化されるべき物質を封入する固体透過性ポリマー殻からなるカプセルに変換するに十分な時間の間、約０〜約４の間のｐＨで該エマルジョンを維持する工程、
を包含するプロセス。
【請求項５１】  前記カプセル化されるべき物質が１つ以上の農業用または非農業用殺有害生物剤を含む、請求項４５に記載のプロセス。